(57)【要約】      （修正有）【課題】座薬を目標の量に分割する場合において、目標の分割量に対して過大な差を生じない使用簡単で簡便かつ低コストの座薬分割用具を提供する。【解決手段】台座２の表面に座薬を納める凹部３を分割対象座薬の形状に合わせて設け、そのような凹部の開口６であって座薬挿入部に相当尖頭位置を基点とした距離を分割量に対応して目盛る。この目盛り４は座薬全体量の１／４，１／２，３／４等の分割量に対応して、座薬の形状を考慮して決めた尖頭部からの距離であって、座薬を凹部にピッタリと置き、目盛りに合わせてカットすれば誤り無く、簡単に分割できる。【選択図】図１
0003139704.tif 000002
【実用新案登録請求の範囲】
【請求項１】
台座の表面に設けた凹部であって、該凹部の開口形状は座薬の長手方向中心線に平行な平面による該座薬の断面形状にほぼ合致し、凹みの形状は該座薬を前記平面で切り取った立体形状にほぼ合致する凹部と、前記台座表面の凹部開口周辺に設けた目盛りであって、前記凹部開口の長手方向の一方の端部を起点とした同開口長手方向への距離に対応する座薬分割量を示す目盛りを有することを特徴とする座薬の分割用具。
【請求項２】
請求項１に記載した座薬分割用具の台座に設けた凹部の開口形状は、該座薬の長手方向中心線を含む平面による該座薬の断面と略同一であることを特徴とする請求項１に記載の座薬分割用具。
【請求項３】
請求項１または２に記載した座薬分割用具の台座に設けた凹部は略紡錘形をした立体の中心線を含む平面により同立体を切断した形状に略合致し、かつ台座に設けられた目盛りは、前記凹部の開口であって紡錘形立体の頂点に相当する点を起点として目盛られることを特徴とする前記請求項１ないし２に記載の座薬分割用具。
【請求項４】
請求項１ないし３に記載した座薬分割用具において、前記台座の前記凹部長手方向にスライドし、同長手方向と略直角の方向に刃を有する割断刃物を設けたことを特徴とする請求項１ないし３に記載の座薬分割用具。
【請求項５】
請求項１ないし４に記載した座薬分割用具において、前記台座に複数の凹部及び目盛り、あるいは凹部、目盛り及び割断刃物を設けたことを特徴とする請求項１ないし４に記載の座薬分割用具。
【考案の詳細な説明】
【技術分野】
【０００１】
本考案は、座薬を適量に分割して投与する際に、適量である座薬の分割位置を割り出し、あるいは適量に分割する用具に関するものである。
【背景技術】
【０００２】
座薬は肛門から挿入する薬剤で、小児などで服用が困難な患者に主に解熱、鎮痛、吐き気止め、抗けいれん用の薬剤あるいは抗生物質などを投与する場合に便利なものであり、日常の診療に欠かせない。座薬は患者の体重によって投与量が規定されており、体重が１０Ｋｇ以下の小児では、座薬一つを全部使用では過剰投与になる場合があり、しばしばカッターやはさみにより分割することが必要になる。
【０００３】
薬剤メーカは同一座薬内に封入された薬剤であっても、成分の分布が場所により不均一である可能性を懸念して分割使用を推奨しておらず、座薬ケース表面に薬量分割の目印となるマーク（全体量の１／２，１／３などを示すマーク）は付けられていない。しかし過去の調査では問題になるような不均一はないことが確認されており、所期の薬効を発揮し、かつ過剰投与を防止するような適量の分割は可能である。ところで、専門家である薬剤師の手で座薬を重量比で座薬全体の１／４、１／２、３／４等となることを目標に分割した結果について発明者が調査した結果では実際の分割した重量と目標の分割重量にはかなりの差があり適量の分割には適当な用具の必要性が認められた。即ち分割箇所を決定するスケールあるいは適量に分割するカッター等が求められる。
【０００４】
これまでのところ座薬を適量に分割する技術についての公知な文献は発見できないが、座薬と同様に固形物である食品、特にケーキを分割するスケールについての技術は特許文献１及び特許文献２に開示されている。特許文献１はケーキを包装する紙又はプラスティックフィルムにおいて、包装すべきケーキを置く面にであってケーキ外周に沿って分割目盛りを付す技術を開示している。特許文献２では食品を収納するトレーに分割目盛りを付す技術が開示されている。これら文献における分割目盛りは、分割対象物が単純な円柱や角柱である場合を想定しており、例えば円柱状の物体を長手方向に分割する場合には底面の中心線のなす角度と分割部分の割合が比例する、あるいは一般に柱状であれば一方の端部からの距離と分割部分の割合が比例することを前提としたリニアな目盛りである。
【０００５】
ところが座薬は肛門からの挿入を容易にする目的で一方の端部が尖がり、他方は略平面でカットされた砲弾状、あるいは紡錘形状の立体の一方の端部をカットして形状である。形状の一例を図３に示し、以下図３と類似の形状を紡錘形状と呼び、尖った形状の端部を挿入部、他方のカットされた形状の方を尾部と呼ぶ。このような形状の座薬を所定量に分割する場合には、挿入部を起点として所定量に相当する距離を測ってカットするのであるが、分割量と該距離は図３に示した形状が単純な柱状でないことから比例関係に無く分割位置の決定に困難がある。座薬の挿入部を起点として物差しで計測し、例えば座薬の全体長さの１／２，１／３等の位置で分割しても、薬量自体は本計測した距離による分割量に比例せず、目標の分割量との間で大きい差が生じて適量投与に支障が生じる場合がある。容易に適正量を決定できるスケールあるいは適正量に分割できる用具が求められていたが今までのところ具体的な技術は提案されていなかった。
【特許文献１】特開２００１−１８０６５２号公報
【特許文献２】実登３１１８１７１
【考案の開示】
【考案が解決しようとする課題】
【０００６】
解決しようとする課題は、座薬を目標の量に分割する場合おいて、目標の分割量に対して過大な差を生じない使用簡単で簡便かつ低コストの座薬分割用具を提供することである。
【課題を解決するための手段】
【０００７】
座薬分割位置計測用スケールを構成する台座と、該台座の表面に座薬の長手方向形状の一部、例えば座薬の長手方向中心線を含む面で２分割した半分の部分と略同一形状の凹部を形成し、また前記凹部の開口部周辺の前記台座表面には、凹部の台座表面に開いた開口の座薬の挿入部に相当する尖頭の位置を基点として、目標の座薬分割量に相当する距離にある位置に目盛ったスケールから構成される座薬分割用具を考案した。前記目盛りは座薬の形状に応じて分割すべき薬量と前記尖頭部からの距離の対応をあらかじめ計測した結果により施されるものとする。また、前記台座の表面であって、前記座薬形状の凹部の沿う位置に、該凹部の長手方向中心線に対して略垂直方向の刃を持った刃物を前記中心線の方向に位置調整可能に取り付けて、前記目盛りに合わせた位置で座薬をカットする装置も構成可能である。
【０００８】
請求項１に記載の考案は、台座の表面に凹部であって、座薬の長手方向中心線と平行な面で切断した座薬の断面とほぼ同じ開口形状を有し、該凹部の形状を前記平面で２に分けられた座薬の立体形状のうちの大きくない方とほぼ同一形状にしたものを設けるとともに、前記台座の表面の前記凹部の開口の長手方向に沿って、該開口の長手方向の一方の端部を起点として、座薬を分割する目標薬量に相当する距離の位置に目盛りを付したことを特徴とする。前記構成において、凹部に座薬を凹部の形状に適合するようにはめ、前記目盛りを参照することにより分割すべき位置を計測する分割スケールとして使用する。なお、前記台座の表面は凹部にはめた座薬と前記目盛りの対応が凹部開口の長手方向の一端からの距離として必要な精度に収まる程度の平坦性を確保する必要があり、また凹部の開口を含む形状は、分割薬量と前記開口尖頭からの距離の対応が許容誤差に収まる程度に分割対象座薬の切断部分形状に近似し略同一とする必要がある。
【０００９】
請求項１の考案にあって、前記した座薬の中心線に平行な面は必ずしも座薬の長手方向中心線を通る必要はなく、該平面の中心線からの距離に従って凹部開口の尖頭部からの距離と分割約量の対応を変化させればよい。凹部に完全に収まらない大きさの座薬の分割位置を決める用途に使用する場合には、座薬サイズに対応した多重の目盛りを付すことも可能である。
【００１０】
、請求項２に記載の考案は、前記台座の表面に設ける凹部の形状を、座薬の長手方向中心を通る平面で２分割した立体形状に略合致されたものとする場合である。座薬の切断平面を一意的に決めることにより、分割位置の決定に誤りが生ずることを防止できる効果がある。
【００１１】
請求項３に記載の考案は、座薬が前記の通り図３に示す略紡錘形状（但し尾部は先端をカットした形状）であること、座薬分割位置は挿入部側から計測すべきであることを考慮し、前記台座に設けた凹部の開口の一端は紡錘形状の尖った端部に対応して尖った紡錘形状先端頂点に対応し、開口の他方の端部は紡錘形状の端部をカットした形状とするものである。当然ながら凹部深さ形状も断面に対応する紡錘形状の前記した平面により切断した立体形状に略合致しなければならない。凹部をこのような形状とすることにより通常紡錘形状である座薬を台座の開口に誤りなく設定することができ、誤った分割を防止する効果がある。
【００１２】
請求項４に記載の考案は図５に示すように請求項１ないし３に記載の座薬分割スケールに分割刃物を追加したものである。刃物は前記凹部に収めた座薬を、該座薬の長手方向中心線に略垂直に切断する方向に動く刃であって前記中心線とほぼ平行（すなわち座薬中心線とほぼ平行）にスライドするものを台座に取り付けたことを特徴とする。
【００１３】
請求項５に記載の考案は、図６に示すように複数の異なった形状、あるいはサイズの座薬の分割位置を決定し、分割するために、１の台座に複数の凹部及び目盛りならびに必要に応じて刃物を設けたものである。薬局の通常使用する座薬の種類に対応する凹部等をあらかじめ設けることにより作業効率の向上に役立つ。
【考案の効果】
【００１４】
発明者は座薬分割の精度を確認する調査を行い、本考案に関わる用具を使用しない場合と使用した場合の効果を確認した。薬剤師２０人について、本考案の用具を用いずに分割位置を決めた場合の目標分割薬量に対する誤差と、本考案の用具を使用した場合の同様の誤差を目標分割薬量１／４，１／２，３／４について集計した結果が図４である。図４の横軸は目標分割量であり、縦軸は目標量に対する実際に分割量の差を割合（パーセント表示）で示しており、プラスは目標より実際が大きい場合、マイナスは小さい場合を示す。図４から明らかなように本考案の用具を使用しない場合は、１／４の分割目標では本考案の用具を使用しない場合は３５％の誤差、１／２ではー１５％、３／４ではマイナス５からプラス１０％程度の誤差が生じているが、本考案の用具を使用して分割した場合はそれぞれマイナス１５％、±３％、±１％程度に大幅な誤差の減少となっている。技能と知識を有する薬剤師等でなくても家庭等で簡便に適量を切り出すことも可能であり、医療の安全性向上と医療業務軽減に大きい効果がある。
【考案を実施するための最良の形態】
【００１５】
図１は本考案の座薬分割用具の実施の最良の形態である分割位置計測用スケールを示す。分割位置計測スケール１は台座２とその表面に設けた凹部３及び分割位置を示す目盛り４で構成される。台座２は高分子樹脂が凹部形成の容易さから最適であるが木材、金属など形状を一定に保持でき、凹部や目盛りの加工が可能な材質であればどんな材質でも良い。凹部２は分割対象の座薬を長手方向中心線で半分に分割した形状に台座を削り込むかあるいは他の適当な方法で形成される。目盛りは座薬５の挿入部から適当な分量に分割する位置を示すように台座に刻印、掘り込み等の方法で作られる。目盛りとしては座薬全体量に対して１／４，１／２，３／４に分割するよう設けるのが良い。目盛り４の位置を決めるには、座薬を尾部から少しずつカットして所望の分割量とし、その状態において挿入部からのカットした位置までの距離を、凹部２の開口６の挿入部相当位置７から計測して台座表面に刻む。図２は、図１に示す座薬分割位置スケールの実施例の写真である。
【実施例１】
【００１６】
図５は請求項４に記載した考案に座薬分割用具の実施例を示す。台座２と凹部３は図１と同様に形成されるが、加えて図５に示す両端を支持部材８により支持される棒状部材１０を凹部３の中心線に略平行に取付ける。該棒状部材１０は刃物９の取り付け部材１１に空けた穴を貫通し、刃物９の刃を凹部３の中心線と直角な方向に上下可能なように取り付ける。刃物９は分割対象の座薬の幅より大きいものである。刃物９を棒状部材１０に沿って移動させ、所要の分割位置目盛りマークで止め、刃物９であらかじめ凹部３に置かれていた座薬を切断するものである。座薬分割スケールと座薬切断刃物を一体の構成として使用をさらに便利にする。
【産業上の利用可能性】
【００１７】
特に薬物への反応性の高い小児への座薬の使用には座薬の一部を分割して適量を投与することが必要であり、薬局等専門家だけでなく家庭等においても適量の分割が容易かつ正確に行うことが可能な手段を提供する重要性は大きい。
【図面の簡単な説明】
【００１８】
【図１】本考案の座薬分割用具の構成を示す説明図である（最良の実施形態）。
【図２】本考案の最良の実施形態である座薬分割用具の写真である（最良の実施形態）。
【図３】座薬の形状の一例の写真である。
【図４】座薬分割による分割薬量の誤差を示すグラフである。
【図５】本考案の実施例１の構成を示す説明図である（実施例１）。
【図６】複数の座薬に対応する座薬分割用具の例を示す説明図である。
【符号の説明】
【００１９】
１    座薬分割位置計測スケール
２    台座
３    凹部
４    目盛り
５    座薬
６    凹部の開口
７    挿入部
８    支持部材
９    刃物
１０  棒状部材
１１  刃物取付部材
１２  尾部
【図１】
0003139704.tif 000003
【図２】
0003139704.tif 000004
【図３】
0003139704.tif 000005
【図４】
0003139704.tif 000006
【図５】
0003139704.tif 000007
【図６】
0003139704.tif 000008